(57)【要約】      （修正有）【課題】加熱コイルとトッププレートに設けられたクッキングゾーン表示の位置関係を精度良く設定すること。【解決手段】トッププレート２２の下面に固定された外アンダーフレーム２７ａに設けられた水平位置決め部４０が、弾性体３４により下方から上方に付勢される加熱コイルユニット２６のコイルベース２５に設けられた係合穴３９に係合することによって、加熱コイルユニット２６とトッププレート２２の構成部材以外の部材の寸法誤差や組立バラツキの影響を排除することができ、加熱コイル２４とトッププレート２２に表示されたクッキングゾーン表示の位置関係を精度良く設定することができるものである。【選択図】図２
2015060726.tif 000002
【特許請求の範囲】
【請求項１】
鍋を載置するとともに前記鍋を載置する位置を示すクッキングゾーン表示が設けられたトッププレートと、前記クッキングゾーン表示の下方に設けられ前記鍋を加熱する加熱コイル及び前記加熱コイルを支持するコイルベースを有する加熱コイルユニットと、上面の開口部が前記トッププレートに覆われ筐体下部を構成する外郭と、前記外郭に直接または介在物を介して保持され前記加熱コイルユニットを上方に付勢する弾性体とを備え、前記トッププレートは、前記トッププレートの下面に、前記加熱コイルユニットに設けられた係合部に係合して前記加熱コイルユニットの位置決めを行う位置決め部材が固定された誘導加熱調理器。
【請求項２】
前記位置決め部材は、前記加熱コイルユニットを構成する部材に設けられた係合穴に鉛直方向に挿入されて前記加熱コイルユニットの水平方向の位置決めを行う水平位置決め部を有する請求項１に記載の誘導加熱調理器。
【請求項３】
前記位置決め部材は、前記加熱コイルユニットに当接して前記加熱コイルユニットの鉛直方向の位置決めを行う垂直位置決め部を有する請求項２に記載の誘導加熱調理器。
【請求項４】
前記トッププレート下面に固定されて前記トッププレートを下方から支持するとともに前記外郭に機械的に固定されるアンダーフレームを備え、前記水平位置決め部は、前記アンダーフレームと一体に形成された請求項２に記載の誘導加熱調理器。
【請求項５】
前記トッププレート下面に固定されて前記トッププレートを下方から支持するとともに前記外郭に機械的に固定されるアンダーフレームを備え、前記垂直位置決め部は、前記アンダーフレームと一体に構成された請求項３または４に記載の誘導加熱調理器。
【発明の詳細な説明】
【技術分野】
【０００１】
本発明は、一般家庭や業務用等で使用される誘導加熱調理器の加熱コイル保持構成に関する。
【背景技術】
【０００２】
従来、この種の誘導加熱調理器は、上面に開口部を有する箱状の外郭と、外郭の上方を覆うトッププレートと、トッププレートの下方に設けられた鍋を加熱するための加熱コイルユニットとを備え、加熱コイルユニットは、外郭の底面に載置された部品の上部に積み上げられ、ばねにより上方に付勢されることにより、トッププレート下面に押し当てられている（例えば、特許文献１参照）。
【０００３】
図５は、特許文献１に記載された従来の誘導加熱調理器を示すものである。図５に示すように、加熱コイルユニット１は、加熱コイル２と加熱コイル２の下面を支持する支持体３とを備え、支持体３の下面には一体で複数の脚４が形成されている。加熱コイル２を駆動するインバータ基板５を支持する基板保持体６が外郭１０の底面上に載置されて取り付けられている。この基板保持体６の上面にはバネ７の内側に挿入される脚支持用ボス８を配置し、基板保持体６は、バネ７を介して脚４を支持することで加熱コイル２を支持している。
【先行技術文献】
【特許文献】
【０００４】
【特許文献１】特開２００４−３３５２９５号公報
【発明の概要】
【発明が解決しようとする課題】
【０００５】
一般的にトッププレート９には鍋を載置する位置を示すクッキングゾーン表示が設けられており、誘導加熱調理器の性能を確保する上で、加熱コイル２は、前記クッキングゾーン表示との位置関係が予め決められた値となるよう精度良く配置されている必要がある。しかしながら、従来の構成では、脚支持用ボス８が加熱コイルユニット１の水平方向の位置決めを行っているため、トッププレート９の外郭１０に対する取り付けバラツキや、基板保持体６の外郭１０に対する取り付けバラツキ等が重なると、加熱コイル２とクッキングゾーン表示の水平方向の位置関係の設定精度が悪くなるという課題がある。
【０００６】
本発明は、前記従来の課題を解決するもので、加熱コイルとクッキングゾーン表示の位置関係を精度良く設定することができる誘導加熱調理器を提供することを目的とする。
【課題を解決するための手段】
【０００７】
前記従来の課題を解決するために、本発明の誘導加熱調理器は、鍋を載置するとともに前記鍋を載置する位置を示すクッキングゾーン表示が設けられたトッププレートと、前記クッキングゾーン表示の下方に設けられ前記鍋を加熱する加熱コイル及び前記加熱コイルを支持するコイルベースを有する加熱コイルユニットと、上面の開口部が前記トッププレートに覆われ筐体下部を構成する外郭と、前記外郭に直接または介在物を介して保持され前記加熱コイルユニットを上方に付勢する弾性体とを備え、前記トッププレートは、前記トッププレートの下面に、前記加熱コイルユニットに設けられた係合部に係合して前記加熱コイルユニットの位置決めを行う位置決め部材が固定された構成としたものである。
【発明の効果】
【０００８】
このように、トッププレートに固定された位置決め部材が加熱コイルユニットに設けられた係合部に係合することによって、加熱コイルユニットとクッキングゾーン表示との位置関係が決まるため、トッププレートに設けられる位置決め部材とクッキングゾーン表示、および加熱コイルユニットに設けられる係合部と加熱コイル、以外の部材の寸法バラツキや取り付けバラツキの重なりの影響を排除することができる。そのため、加熱コイルとクッキングゾーン表示との位置関係の設定精度が向上する。
【図面の簡単な説明】
【０００９】
【図１】本発明の実施の形態１における誘導加熱調理器の分解斜視図
【図２】同誘導加熱調理器の要部横断面図
【図３】同誘導加熱調理器の要部分解斜視図
【図４】本発明の実施の形態２における誘導加熱調理器の要部斜視図
【図５】従来の誘導加熱調理器の断面図  本発明の誘導加熱調理器は、加熱コイルとクッキングゾーン表示の位置関係の精度を向上させることができるものである。
【発明を実施するための形態】
【００１０】
第１の発明は、鍋を載置するとともに前記鍋を載置する位置を示すクッキングゾーン表示が設けられたトッププレートと、前記クッキングゾーン表示の下方に設けられ前記鍋を加熱する加熱コイル及び前記加熱コイルを支持するコイルベースを有する加熱コイルユニットと、上面の開口部が前記トッププレートに覆われ筐体下部を構成する外郭と、前記外郭に直接または介在物を介して保持され前記加熱コイルユニットを上方に付勢する弾性体とを備え、前記トッププレートは、前記トッププレートの下面に、前記加熱コイルユニットに設けられた係合部に係合して前記加熱コイルユニットの位置決めを行う位置決め部材が固定された構成としたものである。
【００１１】
この構成とすることにより、加熱コイルとトッププレートのクッキングゾーン表示との位置関係は、位置決め部材とクッキングゾーン表示との位置関係、及び加熱コイルと係合部との位置関係により決まる。位置決め部材は、トッププレート下面に予め接着などで固定できるので、位置決め部材とトッププレートのクッキングゾーン表示との位置関係を本体の組立作業の前に精度良く設定しておくことが容易にできる。また、位置決め部材が係合する係合部は、加熱コイルユニットに設けられるので、加熱コイルと係合部との位置関係を精度良く本体の組立作業の前に設定しておくことができる。したがって、他部材の寸法バラツキや取り付けバラツキの重なりの影響を排除ことができ、加熱コイルとクッキングゾーン表示の位置関係の精度を向上させることができる。
【００１２】
第２の発明は、特に、第１の発明の位置決め部材は、前記加熱コイルユニットを構成する部材に設けられた係合穴に鉛直方向に挿入されて前記加熱コイルユニットの水平方向の位置決めを行う水平位置決め部を有する構成としたものである。
【００１３】
この構成とすることにより、トッププレートを外郭に組み付ける時に加熱コイルユニットの係合穴に対してトッププレートの水平位置決め部が挿入されて水平方向の位置決めが行われるため、シンプルな構成で容易に加熱コイルとクッキングゾーン表示の水平方向の位置関係を精度良く設定することができる。
【００１４】
第３の発明は、特に、第２の発明の位置決め部材を、前記加熱コイルユニットに当接して前記加熱コイルユニットの鉛直方向の位置決めを行う垂直位置決め部を有する構成としたものである。
【００１５】
この構成とすることにより、１つの位置決め部材で加熱コイルユニットの水平方向と鉛直方向の両方の位置決めが可能になるため、シンプルな構成で加熱コイルとクッキングゾーン表示との位置関係を精度良く設定することが出来る。
【００１６】
第４の発明は、特に、第３の発明のトッププレート下面に固定されて前記トッププレートを下方から支持するとともに前記外郭に機械的に固定されるアンダーフレームを備え、前記水平位置決め部は、前記アンダーフレームと一体に形成されたものである。
【００１７】
この構成とすることにより、アンダーフレームを加熱コイルユニットの水平位置決め機能を有する位置決め部材としても利用しているため、さらに部品点数を少なくしかつ水平位置決め部の強度を高めることができるものである。
【００１８】
第５発明は、特に、第３または４の発明のトッププレート下面に固定されて前記トッププレートを下方から支持するとともに前記外郭に機械的に固定されるアンダーフレームを備え、前記垂直位置決め部は、前記アンダーフレームと一体に形成される構成としたものである。
【００１９】
この構成とすることにより、アンダーフレームを加熱コイルユニットの垂直位置決め機能を有する位置決め部材としても利用しているため、さらに部品点数を少なくすることができる。また、トッププレートが加熱コイルユニットから受ける応力をアンダーフレームおよび外郭が分担することによりトッププレートの割れやトッププレートのアンダーフレームからの剥がれを防止するものである。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における誘導加熱調理器の分解斜視図を、図２は、同誘導加熱調理器の要部断面図を、図３は、同誘導加熱調理器の要部分解斜視図をそれぞれ示すものである。
【００２２】
図１において、筐体を構成する本体２１は、上面に開口部を有する略有底箱形状の外郭２８と、外郭２８の上面に設けられ、鍋（図示せず）を載置するためのトッププレート２２を備える。トッププレート２２は結晶化セラミックなどの高耐熱性を有する電気絶縁材料で形成される。トッププレート２２の上面には鍋を載置する位置を示すための円形のクッキングゾーン表示２３が印刷されている。なお、本図において説明の便宜上、トッププレート２２とクッキングゾーン表示２３は二点鎖線で円形に表示されているが、これに限定されることはない。
【００２３】
クッキングゾーン表示２３の下方には、加熱コイルユニット２６が、クッキングゾーン表示２３に対向するように配置されている。加熱コイルユニット２６は、鍋を誘導加熱する加熱コイル２４と、加熱コイル２４を下方から支持するコイルベース２５を含む複数の部品で構成されひとつのユニットとして組み立てられている。コイルベース２５は、加熱コイル２４から発生する磁束が加熱コイルユニット２６の下方に設けられた加熱コイル２４駆動用インバータ回路（図示せず）などの部品へ影響を及ぼすことを防ぐため、あるいは加熱効率を向上させるため、防磁（磁力線を遮蔽する）効果の高いアルミニウム板で構成されている。
【００２４】
トッププレート２２の下面には３つのアンダーフレーム２７が接着固定されており、トッププレート２２は、外郭２８に、ネジ２９によりアンダーフレーム２７と外郭２８を締結することにより固定されている。アンダーフレーム２７は、上方から見て外郭２８の短辺を形成する上側面２８ａに沿いかつ上側面２８ａに締結される２つの外アンダーフレーム２７ａと、上方から見て外郭２８の長手方向の中央付近に外アンダーフレーム２７ａと平行に設けられ、上方から見て外郭２８の長辺を形成する前面２８ｃと後面２８ｄに端部が締結されるひとつの内アンダーフレーム２７ｂで構成されている。
【００２５】
図２において、加熱コイルユニット２６には、加熱コイル２４とコイルベース２５の間に加熱コイル２４から発する磁束を集磁して下方への磁束の漏洩を抑制するためのフェライトコア３０が設けられている。更に、フェライトコア３０と加熱コイル２４との間には、両者を絶縁する絶縁マイカボード３１が設けられ、加熱コイル２４の上には鍋からの輻射熱を断熱する断熱マイカボード３２が設けられている。コイルベース２５は、加熱コイル２４下方から外郭２８側面近傍まで延設されるとともに、左右端部近傍で段差が形成されフェライトコア３０の載置面より一段高い水平面４１が形成されている。外郭２８の左右側面は、上側面２８ａ、上側面２８ａの内側下方に形成される下側面２８ｂ、及び上側面２８ａの下端と下側面２８ｂの間に略水平に形成される段部底面３３で構成されている。
【００２６】
コイルベース２５は、段部底面３３上に設けられた弾性体３４により、下面が上方に付勢されている。外アンダーフレーム２７ａは、トッププレート２２下面に沿って設けられる上面部２７ａａと、強度を保つための外垂直壁２７ａｂ及び内垂直壁２７ａｃを有している。トッププレート２２下面と外アンダーフレーム２７ａは、外アンダーフレーム２７ａの上面部２７ａａに設けられた凹部であるビード部３５に流し込まれた接着剤３６により固定されている。また、外アンダーフレーム２７ａの外垂直壁２７ａｂはネジ２９によって外郭２８の上側面２８ａに締結され、内垂直壁２７ａｃの先端部に、下方に突出する形状に形成された水平位置決め部４０が設けられている。水平位置決め部４０は、コイルベース２５に鉛直方向に開けられた係合穴３９に挿入されて係合する。
【００２７】
図３において、外アンダーフレーム２７ａの内垂直壁２７ａｃの先端部にはタブ状に下方に突出する水平位置決め部４０が複数個所設けられている。コイルベース２５に設けられた係合穴３９は、水平位置決め部４０が嵌入可能な位置に設けられ、水平位置決め部４０が適度な余裕を持って貫通できる様な長穴形状を有している。また、水平位置決め部４０の形状は、タブの根元から先端にいくほど狭くしたテーパー形状を有しており、組立て時に水平位置決め部４０が係合穴３９に挿入されやすくなっている。また、内垂直壁２７ａｃにおいて水平位置決め部４０の無い端部４２は、垂直位置決め部を構成し、端部４２がコイルベース２５の水平面４１に当接する様になっており、図２における弾性体３４によるコイルベース２５から上方へ作用する付勢力を受ける際に、加熱コイルユニット２６の鉛直方向の移動を規制することにより位置決めを行っている。
【００２８】
以上のように構成された誘導加熱調理器の構成について、以下その動作、作用を説明する。
【００２９】
トッププレート２２に印刷された円形のクッキングゾーン表示２３はユーザが鍋を載置する際に鍋位置の目安とするものであるが、加熱コイル２４とクッキングゾーン表示２３との位置関係がずれていると、ユーザがクッキングゾーン表示２３に合わせて鍋を載置しても十分な加熱性能を発揮できない場合がある。また、トッププレート２２と加熱コイル２４の鉛直方向の位置関係が所定の値からずれると、十分な加熱出力が得られなかったり、部品の温度が上がりすぎて故障の原因となったりする場合がある。したがって、クッキングゾーン表示２３と加熱コイル２４の水平方向の位置関係、及び、トッププレート２２と加熱コイル２４との鉛直方向の位置関係は、十分な加熱性能を確保する上で重要な要素となる。
【００３０】
そこで、本実施の形態では、クッキングゾーン表示２３が表示されたトッププレート２２と、クッキングゾーン表示２３の下方に設けられ鍋を加熱する加熱コイル２４及び加熱コイル２４を支持するコイルベース２５を有する加熱コイルユニット２６と、上面の開口部２８ｅがトッププレート２２に覆われ本体２１下部を構成する外郭２８と、外郭２８に直接または介在物を介して保持され加熱コイルユニット２６を上方に付勢する弾性体３４とを備え、トッププレート２２は、下面に、加熱コイルユニット２６に設けられた係合部である係合穴３９に係合して加熱コイルユニット２６の位置決めを行う位置決め部材であるアンダーフレーム２７（水平方向の位置決めを行う水平位置決め部４０及び鉛直方向の位置決めを行う端部４２を有する外アンダーフレーム２７ａ、外アンダーフレーム２７ａと同様の構成を有する内アンダーフレーム２７ｂ）が固定される構成とした。
【００３１】
この構成とすることにより、加熱コイル２４とクッキングゾーン表示２３との位置関係は、アンダーフレーム２７とクッキングゾーン表示２３との位置関係、及び加熱コイル２４と係合穴３９との位置関係により決まる。アンダーフレーム２７は、トッププレート２２下面に、アンダーフレーム２７とクッキングゾーン表示２３との位置関係を本体の組立作業の前に精度良く設定して予め接着などで固定しておくことができる。また、アンダーフレーム２７が係合する係合穴３９は、加熱コイルユニット２６に設けられるので、加熱コイルと係合穴３９との位置関係を本体の組立作業の前に精度良く設定して加熱コイルユニット２６を組み立てておくことができる。したがって、他部材の寸法バラツキや取り付けバラツキの重なりの影響を排除ことができ、加熱コイル２４とクッキングゾーン表示２３の位置関係の精度を向上させることができるものである。
【００３２】
また、本実施の形態では、位置決め部材であるアンダーフレーム２７は、加熱コイルユニット２６を構成する部材であるコイルベース２５の上面部２７ａａに設けられた係合穴３９に、アンダーフレーム２７に形成された水平位置決め部４０が鉛直方向に挿入されることによって加熱コイルユニット２６の水平方向の位置決めを行う。
【００３３】
この構成により、トッププレート２２を外郭２８に組み付ける時に、係合穴３９に対して水平位置決め部４０が挿入されて位置決めが行われるため、シンプルな構成で容易に加熱コイルユニット２６の水平方向の位置決めをすることができるものである。
【００３４】
また、本実施の形態では、位置決め部材であるアンダーフレーム２７は、加熱コイルユニット２６（の一部分）に当接して加熱コイルユニット２６の鉛直方向の位置決めを行う垂直位置決め部となる端部４２を有する構成としている。
【００３５】
この構成としたことにより、１つの位置決め部材で加熱コイルユニット２６の水平方向と鉛直方向の両方の位置決めが可能になるため、シンプルな構成で加熱コイル２４とクッキングゾーン表示２３との位置関係、及び加熱コイル２４とトッププレート２２下面との間の距離を精度良く設定することが出来るものである。
【００３６】
また、本実施の形態では、トッププレート２２下面に固定されてトッププレート２２を下方から支持するとともに外郭２８に機械的に固定されるアンダーフレーム２７を備え、水平位置決め部４０は、アンダーフレーム２７と一体に形成されている。なお、機械的にとは、接着に寄らず、例えば、ねじで締結したり、金属製の部品同士で係合したりする構成など、経年変化で固定が劣化しにくい方法をいう。
【００３７】
この構成としたことにより、外郭２８とトッププレート２２との固定部材を加熱コイルユニット２６の位置決め部材としても利用しているため、部品点数を少なくしかつ水平位置決め部４０の保持強度を高めることができるものである。
【００３８】
また、本実施の形態では、アンダーフレーム２７は、垂直位置決め部を構成する端部４２と一体に構成されたことにより、アンダーフレーム２７を加熱コイルユニット２６の位置決め部材を兼用するため、さらに部品点数を少なくすることができ、また、トッププレート２２が加熱コイルユニット２６から受ける応力をアンダーフレーム２７および外郭２８が分担することによりトッププレート２２の割れや、トッププレート２２のアンダーフレームからの剥がれを防止するものである。
【００３９】
なお、アンダーフレーム２７は、水平位置決め部４０と垂直位置決め部となる端部４２の少なくともいずれか一方を兼用する構成とすることができる。
【００４０】
また、本実施の形態では、コイルベース２５が外郭２８の側面近傍まで延設されており、係合穴３９を外郭２８の側面近傍に形成しているため、水平位置決め部４０と垂直位置決め部となる端部４２を一体に設けた外アンダーフレーム２７ａは、外郭２８の側面近傍に小さく構成することが可能となり、より一層、構造のシンプル化とコストダウンを図ることができる。またコイルベース２５が外郭２８の側面近傍まで延設されていることにより、コイルベース２５下方の部材に及ぼす加熱コイルの磁界に対する防磁効果をより一層向上させることができる。
【００４１】
また、アンダーフレーム２７には接着剤３６を流し込むためのビード部３５を設けているため、接着剤３６の厚みによるアンダーフレーム２７のトッププレート２２への鉛直方向の取り付け高さのバラツキを軽減することが出来るため、加熱コイルユニット２６の鉛直方向の位置精度がより一層向上する。
【００４２】
なお、本実施の形態では、外郭２８側面近傍の要部の説明をしたが、トッププレート２２中央近傍に設けた内アンダーフレーム２７ｂ近傍も同様の構成であるので説明を省略する。
【００４３】
また、トッププレート２２中央近傍の内アンダーフレーム２７ｂを省略しても良い。すなわち、位置決め部材を外アンダーフレーム２７ａのみとし、外アンダーフレーム２７ａと係合穴３９が本実施の形態と同様の構成をとっていれば、本実施の形態と同様の効果を得ることは可能である。
【００４４】
また、コイルベース２５において垂直位置決め部を構成する端部４２が当接する水平面４１を弾性体３４の付勢面の極力近傍に配置することにより、コイルベース２５を構成するアルミニウム板にかかるモーメントを小さくすることができ、コイルベース２５の変形を抑制することができる。
【００４５】
（実施の形態２）
図４は、本発明の第２の実施の形態における誘導加熱調理器の要部斜視図を示すものである。
【００４６】
第１の実施の形態における誘導加熱調理器のアンダーフレーム２７は、水平位置決め部４０及び垂直位置決め部を構成する端部４２と、一体となって構成されているのに対し、本実施の形態における誘導加熱調理器のアンダーフレーム２７は、水平位置決め部４０と垂直位置決め部を構成する端部４２と別部材で構成されている点において相違する。本実施の形態において、この相違点以外は同様の構成であるので説明を省略し、相違する点についてのみ以下説明する。
【００４７】
図４において、トッププレート２２の下面には、接着剤３６で固定されたアンダーフレーム２７とは別の場所に複数の棒状の位置決め部材４３が接着固定されている。この位置決め部材４３は水平位置決め部を構成する先端部４３ａと、垂直位置決め部を構成する段部４３ｂを有しており、段部４３ｂは、先端部４３ａと先端部４３ａより１段太くなった部分との境界部分であり、水平面で構成されている。コイルベース２５に開けられた円形の係合穴３９に先端部４３ａが適度な余裕を持って鉛直方向に挿入されることにより、加熱コイルユニット２６の水平方向の位置決めが行われ、コイルベース２５の係合穴３９の周囲の水平面４１に段部４３ｂが当接することにより、加熱コイルユニット２６の鉛直方向の位置決めが行われる。
【００４８】
以上のように、水平位置決め部４０と垂直位置決め部（本実施の形態においては段部４３ｂに相当する）を、アンダーフレーム２７とは別の部材で構成しても、同様に加熱コイル２４とクッキングゾーン表示２３の位置関係の精度を向上させることができるものである。
【産業上の利用可能性】
【００４９】
以上のように、本発明にかかる誘導加熱調理器は、クッキングゾーン表示と加熱コイルの位置関係の精度を向上させることができるものであり、クッキングゾーン表示を有する類似の構成をとる全ての用途に適用に適用できる。
【符号の説明】
【００５０】
２１  本体
２２  トッププレート
２３  クッキングゾーン表示
２４  加熱コイル
２５  コイルベース
２６  加熱コイルユニット
２７  アンダーフレーム
２７ａ  外アンダーフレーム
２７ａａ  上面部
２７ａｂ  外垂直壁
２７ａｃ  内垂直壁
２７ｂ  内アンダーフレーム
２８  外郭
２８ａ  上側面
２８ｂ  下側面
２８ｃ  前面
２８ｄ  後面
２８ｅ  開口部
２９  ネジ
３０  フェライトコア
３１  絶縁マイカボード
３２  断熱マイカボード
３３  段部底面
３４  弾性体
３５  ビード部
３６  接着剤
３９  係合穴
４０  水平位置決め部
４１  水平面
４２  端部
４３  位置決め部材
４３ａ  先端部
４３ｂ  段部
【図１】
2015060726.tif 000003
【図２】
2015060726.tif 000004
【図３】
2015060726.tif 000005
【図４】
2015060726.tif 000006
【図５】
2015060726.tif 000007